(57)【要約】      （修正有）【課題】高周波アンテナ基礎を内蔵して、製品の真偽を確かめることが出来る偽造防止キャップを提供する。【解決手段】偽造防止キャップは、第一蓋体２、第二蓋体４および高周波アンテナ基板３を含み、第二蓋体は、第一蓋体の内部に設置され、且つ、高周波アンテナ基板は、第一蓋体と第二蓋体の間に挟設される。アンテナ回路３１は、高周波アンテナ基板３の上に位置し、且つ、該高周波アンテナ基板の突出部３２を通過する。第一蓋体は、第一蓋体の内側に設置されたストッパーを有し、偽造防止キャップを開く時、ストッパーが、高周波アンテナ基板３の突出部３２に接触すると共に、突出部３２を断裂させて、アンテナ回路３１が回路遮断を生成する。【選択図】図２
0003182220.tif 000002
【実用新案登録請求の範囲】
【請求項１】
偽造防止キャップであって、
第一蓋体と、
前記第一蓋体の内部に設置される第二蓋体と
前記第一蓋体と前記第二蓋体の間に挟設される高周波アンテナ基板と、
を備え、
アンテナ回路が、前記高周波アンテナ基板の上に位置し、且つ、前記高周波アンテナ基板の突出部を通過し、
前記第一蓋体と前記第二蓋体は、可動式結合で、前記偽造防止キャップを回転させて開くまたは閉じる時、前記第一蓋体と前記第二蓋体が回転し、
前記第一蓋体は、前記第一蓋体の内側に設置されるストッパーを有し、前記偽造防止キャップを開く時、前記ストッパーが前記高周波アンテナ基板の前記突出部に接触すると共に、前記突出部を断裂させて、前記アンテナ回路が回路遮断を生成することを特徴とする偽造防止キャップ。
【請求項２】
前記第一蓋体は、さらに、環状トラックを含み、前記第一蓋体の内側に設置されて、前記第二蓋体外側の環状突縁を収容し、前記第一蓋体が前記環状トラックに沿って、前記第二蓋体が回転し、前記可動式結合を形成することを特徴とする請求項１に記載の偽造防止キャップ。
【請求項３】
前記第一蓋体は、さらに、前記第一蓋体の内側の少なくとも一個の内側突部を含み、前記偽造防止キャップを開く時、前記内側突部が、前記第二蓋体の上面の少なくとも一個の係合点にあてがって、前記第一蓋体が前記第二蓋体を押して、同時に回転することを特徴とする請求項１又は２に記載の偽造防止キャップ。
【請求項４】
前記高周波アンテナ基板は、さらに、前記第二蓋体の頂面の少なくとも一個の嵌入ポイントと嵌合し、前記高周波アンテナ基板を、前記第二蓋体上に固定する少なくとも一個の嵌入穴を含むことを特徴とする請求項１から３何れかの一項に記載の偽造防止キャップ。
【考案の詳細な説明】
【技術分野】
【０００１】
本考案は、キャップ（蓋)に関するものであって、特に、偽造防止機能を有する蓋に関するものである。
【背景技術】
【０００２】
現在、商品管理は、通常、無線ＩＣタグ技術(ＲＦＩＤ)のタグを商品上につけて、商品の位置および情報を追跡管理している。しかし、商品外部に位置するＲＦＩＤタグは、破損、遺失や偽造の可能性があり、ビン飲料、特に、経済価値の高い酒類等のＲＦＩＤを運用した商品管理はリスクが高い。また、従来の偽造防止キャップは、通常、新たにキャップリングを設計する必要があるので、製作上、面倒である。よって、安全、且つ、便利なＲＦＩＤ裝置を開発して、真偽識別効果を達成する必要がある。
【考案の概要】
【考案が解決しようとする課題】
【０００３】
上述の問題を解決するため、本考案は、高周波アンテナ基板を内蔵して、製品の真偽を確かめることができる偽造防止キャップを提供することを目的とする。
【課題を解決するための手段】
【０００４】
上述の目的を達成するため、本考案の実施例による偽造防止キャップは、第一蓋体、第二蓋体および高周波アンテナ基板を含み、第二蓋体は、第一蓋体の内部に設置され、且つ、高周波アンテナ基板は、第一蓋体と第二蓋体の間に挟設される。アンテナ回路は、高周波アンテナ基板の上に位置し、且つ、高周波アンテナ基板の突出部を通過する。第一蓋体と第二蓋体は可動式の組み合わせで、偽造防止キャップを回転させて開くまたは閉じる時、第一蓋体と第二蓋体が回転する。第一蓋体は、第一蓋体の内側に設置されるストッパーを有し、偽造防止キャップが開く時、ストッパーが、高周波アンテナ基板の突出部に接触すると共に、突出部が断裂して、アンテナ回路が回路遮断を生成する。
【０００５】
上述のような偽造防止キャップは、第一蓋体が、さらに、環状トラックを含み、第一蓋体の内側に設置されて、第二蓋体外側の環状突縁を収容し、第一蓋体が、環状トラックに沿って、第二蓋体に対して回転して、可動式結合を形成する。
【０００６】
上述のような偽造防止キャップは、第一蓋体が、さらに、第一蓋体の内側に少なくとも一個の内側突部を含み、偽造防止キャップが開く時、内側突部が、第二蓋体上面の少なくとも一個の係合点にあてがって、第一蓋体が第二蓋体を押して、同時に回転する。
【０００７】
上述のような偽造防止キャップは、高周波アンテナ基板が、さらに、第二蓋体頂面の少なくとも一個の嵌入ポイントと嵌合して、高周波アンテナ基板を第二蓋体上に固定する少なくとも一個の嵌入穴を有する。
【考案の効果】
【０００８】
本考案の偽造防止キャップは、高周波アンテナ基板を内蔵し、偽造防止キャップを開いた後、高周波アンテナ基板が破壊され、且つ、回收使用できないので、製品の真偽を確かめることができる。
【図面の簡単な説明】
【０００９】
【図１】本考案の実施例による偽造防止キャップを示す図である。
【図２】本考案の実施例による偽造防止キャップの分解図である。
【図３】本考案の実施例による第一蓋体の透視図である。
【考案を実施するための形態】
【００１０】
図１は、本考案の実施例による偽造防止キャップを示す図である。図に示されるように、偽造防止キャップ１は、第一蓋体２、第二蓋体４および高周波アンテナ基板３を含み、第二蓋体４は、第一蓋体２の内部に設置され、且つ、高周波アンテナ基板３は、第一蓋体２と第二蓋体４の間に挟設される。図２は、本考案の実施例による偽造防止キャップの分解図である。第一蓋体２は、さらに、環状トラックＭを含み、環状トラックＭは、第一蓋体２の内側に設置されて、第二蓋体４外側の環状突縁Ｋを収容し、第一蓋体２が、環状トラックＭに沿って、第二蓋体４に対し回転し、可動式結合を形成している。偽造防止キャップ１を回転させて開くまたは閉じる時、第一蓋体２と第二蓋体４は相対回転することができる。
【００１１】
図２に示されるように、アンテナ回路３１は、高周波アンテナ基板３上に位置し、且つ、高周波アンテナ基板３の突出部３２を通過する。高周波アンテナ基板３は、さらに、嵌入穴３３を含み、第二蓋体４頂面の複数の嵌入ポイント４１と嵌合し、高周波アンテナ基板３が第二蓋体４上に固定される。これにより、高周波アンテナ基板３は、第二蓋体４に伴って、静止または回転する。理解できることは、高周波アンテナ基板の嵌入穴数量と第二蓋体の嵌入ポイント数量は、本実施例に制限されず、少なくとも一個以上であればよい。
【００１２】
図２および図３を参照する。図３は、本考案の実施例による第一蓋体を透視図である。偽造防止キャップ１が未開封状態の時、第一蓋体２の第一内側突部Ｄ１および第二内側突部Ｄ２は、それぞれ、第二蓋体４の第一係合点Ａ１と第一係合棒Ｃ１の間、および、第二係合点Ａ２と第二係合棒Ｃ２の間に係合する。このとき、第一係合点Ａ１および第二係合点Ａ２は、偽造防止キャップ１が時計回りに回転するのを阻止する。第一係合棒Ｃ１と第二係合棒Ｃ２は、第二蓋体４頂面の微小の突出物で、偽造防止キャップ１が容易に開封 (反時計回り)、たとえば、瓶入り飲料の運送途中のアクシデントや予期せぬ開封を防止する。理解できることは、第一蓋体の内側突部数量と第二蓋体の係合点数量は、本実施例に制限されず、少なくとも一個の以上であればよい。
【００１３】
使用者が、初めて、偽造防止キャップ１を開ける時、第一蓋体２上に回転応力を加えて、第一蓋体２を環状トラックＭに沿って、反時計回りで回転させ、第一蓋体２の第一内側突部Ｄ１および第二内側突部Ｄ２が、反時計回りでシフトする。続いて、第一蓋体２の第一内側突部Ｄ１および第二内側突部Ｄ２が、第二蓋体４の第三係合点Ｂ１および第四係合点Ｂ２に接触する前、第一蓋体２のストッパーＮが、先に、高周波アンテナ基板３の突出部３２に接触すると共に、突出部３２が断裂して、アンテナ回路３１が回路遮断を生成する。理解できることは、偽造防止キャップ１が既に開けられていた場合、高周波アンテナ基板３は回路遮断により失効して、回収使用ができず、よって、製品の真偽を確かめることができる。たとえば、ＲＦＩＤ読み取り器、携帯電話や別の読取装置を用いて、瓶入り飲料の偽造防止キャップを読み取る時、高周波アンテナ基板３が既に失効しているので、いかなる情報も読み取ることができず、これにより、この瓶入り飲料が既に開封され、その他の内容物を注入してパッケージした疑いを識別することができる。
【００１４】
偽造防止キャップ１が反時計回りで回転して開く時、第一蓋体２の第一内側突部Ｄ１および第二内側突部Ｄ２は、最終的に、第二蓋体４の第三係合点Ｂ１および第四係合点Ｂ２にあてがって、第一蓋体２が第二蓋体４を押して、同時に回転する。理解できることは、第二蓋体４は、内側に螺旋の溝を有し、これにより、瓶体を連接することである。第二蓋体４の逆時計回りの連続回転により、瓶体が開く。
【００１５】
同様に、使用者が偽造防止キャップ１を閉めたい時、第一蓋体２上に回転応力を加えて、第一蓋体２を環状トラックＭに沿って、時計回りに回転させ、同時に、第一蓋体２の第一内側突部Ｄ１および第二内側突部Ｄ２が時計回りにシフトし、続いて、それぞれ、第二蓋体４の第一係合点Ａ１および第二係合点Ｂ２にあてがって、第一蓋体２が第二蓋体４を押し、時計回りに回転する。理解できることは、第二蓋体４の時計回りの回転により、最終的に、蓋が閉まることである。
【００１６】
よって、本考案の偽造防止キャップは、高周波アンテナ基板を内臓し、偽造防止キャップを開いた後、高周波アンテナ基板が破壊され、且つ、回收使用できないので、製品の真偽を判別することができる。
【００１７】
本考案では好ましい実施例を前述の通り開示したが、これらは決して本考案に限定するものではなく、当前記技術を熟知する者なら誰でも、本考案の構想と部分を脱しない範囲内で各種の変動や修飾を加えることができ、従って本考案の保護範囲は、実用新案登録請求の範囲で指定した内容を基準とする。
【符号の説明】
【００１８】
１  偽造防止キャップ
２  第一蓋体
３  高周波アンテナ基板
３１  アンテナ回路
３２  突出部
３３  嵌入穴
４  第二蓋体
４１  嵌入ポイント
Ａ１  第一係合点
Ａ２  第二係合点
Ｂ１  第三係合点
Ｂ２  第四係合点
Ｃ１  第一係合棒
Ｃ２  第二係合棒
Ｄ１  第一内側突部
Ｄ２  第二内側突部
Ｋ  環状突縁
Ｍ  環状トラック
Ｎ  ストッパー
【図２】
0003182220.tif 000003
【図１】
0003182220.tif 000004
【図３】
0003182220.tif 000005